(57)【特許請求の範囲】
【請求項１】
上下方向に沿って配置された立壁部（４１〜４６）を有する支柱（２７）と、この支柱（２７）の上端に載置される天板（２４）とを備えた室外機のケーシングであって、
前記支柱（２７）の上端部には、前記立壁部（４１〜４４）の少なくとも一部から上方へ延設されるとともに、当該立壁部（４１〜４４）の上端から前記天板（２４）を浮かせた状態で当該天板（２４）の下面に面接触する略水平な当接部（５１〜５４）が設けられ、
前記立壁部（４１〜４４）と前記当接部（５１〜５４）との間に、天板（２４）側から受ける衝撃を緩衝する緩衝部（５５〜５８）が設けられていることを特徴とする空気調和装置における室外機のケーシング。
【請求項２】
前記緩衝部（５５〜５８）は、前記立壁部（４１〜４４）と前記当接部（５１〜５４）との境界部をアール状に湾曲させることによって構成されている、請求項１に記載の空気調和装置における室外機のケーシング。
【請求項３】
上下方向に沿って配置された立壁部（４１〜４６）を有する支柱（２７）と、この支柱（２７）の上端に載置される天板（２４）とを備えた室外機のケーシングであって、
前記支柱（２７）の上端部には、前記立壁部（４１〜４４）の少なくとも一部から上方へ延設されるとともに、当該立壁部（４１〜４４）の上端から前記天板（２４）を浮かせた状態で当該天板（２４）の下面に面接触する略水平な当接部（５１〜５４）が設けられ、
前記支柱（２７）は、前記天板（２４）のコーナー部（２４ｃ）に合わせて配置された２つの立壁部（４１，４２）を有しており、
この２つの立壁部（４１，４２）から前記当接部（５１，５２）が延設されている、空気調和装置における室外機のケーシング。
【請求項４】
上下方向に沿って配置された立壁部（４１〜４６）を有する支柱（２７）と、この支柱（２７）の上端に載置される天板（２４）とを備えた室外機のケーシングであって、
前記支柱（２７）の上端部には、前記立壁部（４１〜４４）の少なくとも一部から上方へ延設されるとともに、当該立壁部（４１〜４４）の上端から前記天板（２４）を浮かせた状態で当該天板（２４）の下面に面接触する略水平な当接部（５１〜５４）が設けられ、
前記支柱（２７）は、平面視で略四角形状に配置された４つの立壁部（４１〜４４）を有し、このうち２つの立壁部（４１，４２）が前記天板（２４）のコーナー部（２４ｃ）に配置されており、
前記当接部（５１，５２）が、前記天板（２４）のコーナー部（２４ｃ）に合わせて配置された２つの立壁部（４１，４２）から延設されている、空気調和装置における室外機のケーシング。
【請求項５】
上下方向に沿って配置された立壁部（４１〜４６）を有する支柱（２７）と、この支柱（２７）の上端に載置される天板（２４）とを備えた室外機のケーシングであって、
前記支柱（２７）の上端部には、前記立壁部（４１〜４４）の少なくとも一部から上方へ延設されるとともに、当該立壁部（４１〜４４）の上端から前記天板（２４）を浮かせた状態で当該天板（２４）の下面に面接触する略水平な当接部（５１〜５４）が設けられ、
前記天板（２４）は、平面視で四角形状であり、前記天板のコーナー部（２４ｃ）には、平坦な載置部（７０）が形成されており、
前記天板（２４）の各辺について、前記コーナー部（２４ｃ）を除く中間部分は装置側にセットバックした退避部（７１，１７１）とされており、
前記退避部（７１，１７１）の端部と前記載置部（７０）とが立ち上がり部（７３，１７３，７５，７６）により接続されており、
前記支柱（２７）の前記当接部（５１〜５４）は、前記載置部（７０）の下面に面接触する、空気調和装置における室外機のケーシング。
【発明の詳細な説明】
【技術分野】
【０００１】
本発明は、空気調和装置における室外機のケーシングに関する。
【背景技術】
【０００２】
ビル等の建物や一般の住宅において利用される空気調和装置として、室内機と室外機とを備えたセパレートタイプのものが広く普及している。このうちの室外機は、例えば、下記特許文献１に記載されているように、ケーシングの内部に圧縮機や熱交換器等の各種機器を収納している。また、室外機のケーシングは、各種機器を載せる底板と、この底板に立設された複数本の支柱と、この支柱の上端に連結された天板と、支柱の間の開口を塞ぐ側面パネル等を備えている。
【先行技術文献】
【特許文献】
【０００３】
【特許文献１】特開２００９−１２７９９１号公報
【発明の概要】
【発明が解決しようとする課題】
【０００４】
上記のような室外機は、倉庫等に保管される際に上下方向に段積みされることがある。このとき、下側に配置された室外機のケーシングの天板には上側に配置された室外機の荷重が下向きに付与され、この荷重は専ら支柱によって支持される。
しかし、支柱は、平面視で四角形状やＬ字形状等に屈曲形成され、その四角形状やＬ字形状の小さい面積の上端面で天板に接触しているため、天板は、その接触部分において支柱から大きな圧力を受ける。特に、支柱における四角形状やＬ字形状の屈曲部（折り曲げ部）が天板に接触することによって応力が集中し、天板に圧痕や変形が生じるおそれがある。
【０００５】
本発明は、このような実情に鑑みてなされたものであり、支柱から受ける力によって天板に生じる応力集中を抑制することができる室外機のケーシングを提供することを目的とする。
【課題を解決するための手段】
【０００６】
（１）本発明は、上下方向に沿って配置された立壁部を有する支柱と、この支柱の上端に載置される天板とを備えた室外機のケーシングであって、
前記支柱の上端部には、前記立壁部の少なくとも一部から上方へ延設されるとともに、当該立壁部の上端から前記天板を浮かせた状態で当該天板の下面に面接触する略水平な当接部が設けられ、
前記立壁部と前記当接部との間には、天板側から受ける衝撃を緩和する緩衝部が設けられていることを特徴とする。
【０００７】
上記構成のケーシングによれば、支柱の上端部には、立壁部の上端から前記天板を浮かせた状態で当該天板の下面に面接触する略水平な当接部が設けられているので、天板に対する支柱の接触面積を大きくすることができ、天板が支柱から受ける圧力を可及的に小さくし、天板に発生する応力集中を抑制することができる。さらに、当接部は、立壁部から上方に延設されるので、立壁部と一体に形成することができ、部品点数の増大を抑制することができる。
【０００８】
また、前記立壁部と前記当接部との間には、天板側から受ける衝撃を緩和する緩衝部が設けられているので、室外機を段積みする際等に天板に強い衝撃が加わったとしてもその衝撃を支柱側で緩和し、天板に過大な応力が生じるのを防止することができる。
【０００９】
（２）前記緩衝部は、前記立壁部と前記当接部との境界部をアール状に湾曲させることによって構成されていることが好ましい。
これにより、簡単な構成によって緩衝部を設けることができる。
【００１０】
（３）本発明は、上下方向に沿って配置された立壁部を有する支柱と、この支柱の上端に載置される天板とを備えた室外機のケーシングであって、
前記支柱の上端部には、前記立壁部の少なくとも一部から上方へ延設されるとともに、当該立壁部の上端から前記天板を浮かせた状態で当該天板の下面に面接触する略水平な当接部が設けられ、
前記支柱は、前記天板のコーナー部に合わせて配置された２つの立壁部を有しており、この２つの立壁部から前記当接部が延設されていることを特徴としている。
このように、比較的強度の高い天板のコーナー部に合わせて配置された２つの立壁部から当接部が延設されていることによって、この当接部が面接触する部分における天板の変形等を防止することができる。
【００１１】
（４）本発明は、上下方向に沿って配置された立壁部を有する支柱と、この支柱の上端に載置される天板とを備えた室外機のケーシングであって、
前記支柱の上端部には、前記立壁部の少なくとも一部から上方へ延設されるとともに、当該立壁部の上端から前記天板を浮かせた状態で当該天板の下面に面接触する略水平な当接部が設けられ、
前記支柱は、平面視で略四角形状に配置された４つの立壁部を有し、このうち２つの立壁部が前記天板のコーナー部に合わせて配置されており、前記当接部が、前記天板のコーナー部に合わせて配置された２つの立壁部から延設されていることを特徴としている。
このように、比較的強度の高い天板のコーナー部に合わせて配置された２つの立壁部から当接部が延設されていることによって、この当接部が面接触する部分における天板の変形等を防止することができる。また、天板のコーナー部に合わせて配置された２つの立壁部以外の他の２つの立壁部の上端についても直接的に天板に接触しないので、当該上端が接触することに起因して天板に応力集中が生じるのを防止することができる。
【００１２】
（５）本発明は、上下方向に沿って配置された立壁部を有する支柱と、この支柱の上端に載置される天板とを備えた室外機のケーシングであって、
前記支柱の上端部には、前記立壁部の少なくとも一部から上方へ延設されるとともに、当該立壁部の上端から前記天板を浮かせた状態で当該天板の下面に面接触する略水平な当接部が設けられ、
前記天板は、平面視で四角形状であり、前記天板のコーナー部には、平坦な載置部が形成されており、
前記天板の各辺について、前記コーナー部を除く中間部分は装置側にセットバックした退避部とされており、
前記退避部の端部と前記載置部とが立ち上がり部により接続されており、
前記支柱の前記当接部は、前記載置部の下面に面接触していることを特徴としている。
【００１３】
以上の構成を有する天板は、各辺の中間部分に装置側にセットバックした退避部が設けられているので、この退避部にビスやボルトの挿通孔を形成し、この挿通孔を使って天板の固定を行うことで、輸送時や保管時に複数の室外機同士が近接して配置される場合でも、隣接する室外機間において、前記ビスやボルトの頭部が隣の室外機と緩衝し合うことがない。また、天板の各コーナー部には、平坦な載置部が形成されているとともに、退避部の端部と載置部とが立ち上がり部により接続されている。このため、複数の室外機を段積みして保管する場合でも、平坦な載置部により上方の室外機からの荷重を受けることができ、また、リブとして機能する立ち上がり部により載置部の耐荷重を大きくすることができる。したがって、上側の室外機と下側の室外機との間に配置される緩衝部材を簡素化することができ、保管コストを低減することができる。
【発明の効果】
【００１４】
本発明によれば、支柱から受ける力によって天板に生じる応力集中を抑制することができる。
【図面の簡単な説明】
【００１５】
【図１】本発明の第１の実施の形態に係る空気調和装置の室外機の外観及び一部の内部を概略的に示す斜視図である。
【図２】室外機の内部を示す平面図である。
【図３】室外機におけるケーシングの支柱の上部を示す斜視図である。
【図４】支柱の平面図である。
【図５】支柱の正面図である。
【図６】本発明の第２の実施の形態における支柱の平面図である。
【図７】本発明の第３の実施の形態における天板を示す斜視図である。
【図８】本発明の第４の実施の形態における天板を示す斜視図である。
【図９】天板の立ち上がり部の断面説明図である。
【発明を実施するための形態】
【００１６】
図１は、本発明の第１の実施の形態に係る空気調和装置の室外機の外観及び一部の内部を概略的に示す斜視図、図２は、室外機の内部を示す平面図である。
本実施の形態の室外機２は、例えばビル用のマルチタイプの空気調和装置に用いられるものであり、ケーシング（室外機本体）５と、このケーシング５に内蔵された室外熱交換器１３、圧縮機１１、四路切換弁１２、アキュムレータ２０、オイルセパレータ２１等の冷媒回路を構成する機器と、電装品ユニット３８と、送風ファン２３等を備えている。そして、室外機２は、送風ファン２３の駆動によってケーシング５の側面から空気を吸い込み、室外熱交換器１３との間で熱交換を行った後にケーシング５の上部から上方へ空気を吹き出す、上吹き出しタイプとされている。
【００１７】
ケーシング５は、略直方体形状に形成されており、底フレーム２６、支柱２７、下側面パネル２９、上側面パネル２５、天板２４等を有している。底フレーム２６は、平面視で四角形状に形成され、前後に対向する２辺には地面に接地する脚部２６ａが設けられている。支柱２７は、上下方向に長い長尺部材からなり、底フレーム２６の４隅にボルト等によって取り付けられている。なお、図１においては、支柱２７の形状が簡略化した状態（断面略Ｌ字形状）で示されているが、本実施の形態の支柱２７は、図２〜図５に示される形状に形成されている。この支柱２７の詳細な構造については後述する。
【００１８】
図１に示されるように、天板２４は、底フレーム２６と略同一の平面視で四角形状に形成され、底フレーム２６の上方に間隔をあけて配置されている。天板２４の四隅は、各支柱２７の上端部に載置され、天板２４は、ボルト等の連結具によって上側面パネル２５等に連結されている。天板２４には、略四角形状の通風口２４ａが形成されており、この通風口２４ａには異物の侵入を防止するためのグリル２４ｂが設けられている。
【００１９】
ケーシング５の上部には、ベルマウス３０が取り付けられている。このベルマウス３０は、送風ファン２３の外周部を囲う通風ガイド（通風部材）３０ａを有しており、通風ガイド３０ａは、送風ファン２３の円形状の回転軌跡に沿った円筒形状に形成され、ケーシング５からの空気の吹き出し口を形成している。
【００２０】
ベルマウス３０の周囲におけるケーシング５の４つの側面には上側面パネル２５が設けられている。送風ファン２３、ベルマウス３０、及び電装品ユニット３８は、上側面パネル２５や天板２４によって覆われることで、外部に露出しないように構成されている。
【００２１】
図２に示されるように、ケーシング５の底フレーム２６上には、室外熱交換器１３、圧縮機１１、閉鎖弁１８，１９、アキュムレータ２０、オイルセパレータ２１、四路切換弁１２等の機器が搭載されている。室外熱交換器１３は、クロスフィンコイル式であり、アルミニウム製の多数のフィンを伝熱管が水平に貫通し、伝熱管を流れる冷媒と室外熱交換器１３を流通する空気との間で熱交換を行うように構成されている。
【００２２】
室外熱交換器１３は、ケーシング５の１つの角部（左前側の角部）５Ａを除く範囲で４つの側面に対向（対応）し、かつ４つの側面に沿って略四角形状に屈曲されている。具体的に、室外熱交換器１３は、ケーシング５の前側の側面（前面）に沿う前熱交換部３２と、右側の側面に沿う右熱交換部３３と、後側の側面（後面）に沿う後熱交換部３４と、左側の側面に沿う左熱交換部３５とを有している。そして、前熱交換部３２と右熱交換部３３との間、右熱交換部３３と後熱交換部３４との間、及び後熱交換部３４と左熱交換部３５との間が略９０度に屈曲されている。
【００２３】
また、ケーシング５は、室外熱交換器１３の一の側端部（前熱交換部３２の左端部）３２ａと左前側の支柱２７との間、及びこの支柱２７と室外熱交換器１３の他の側端部（左熱交換部３５の前端部）３５ａとの間に、それぞれ下側面パネル２９（図１参照）によって開閉可能に閉鎖される開口部３６Ａ，３６Ｂを備えている。
【００２４】
閉鎖弁１８，１９は、ケーシング５の前開口部３６Ａに向くように取付台を介して支持されている。また、圧縮機１１は、前開口部３６Ａの右側寄りに配置され、前開口部３６Ａを介して前方から略全体を視認できる位置に配置される。また、底フレーム２６上のアキュムレータ２０やオイルセパレータ２１はケーシング５内の後部側に配置されている。
【００２５】
図３は、室外機におけるケーシングの支柱の上部を拡大して示す斜視図、図４は、支柱の平面図、図５は、支柱の正面図である。
支柱２７は、上下方向に沿って配置された複数の立壁部４１〜４６を備えている。具体的に、支柱２７は、平面視において略四角形状に配置された第１〜第４立壁部４１〜４４を有している。第１，第２立壁部４１，４２は、互いに略９０°の角度で屈曲され、天板２４のコーナー部２４ｃに合わせて配置されている。第３立壁部４３は、第１立壁部４１に対して略９０度の角度で屈曲され、第２立壁部４２に対して略平行に対向している。第４立壁部４４は、第２立壁部４２に対して略９０度の角度で屈曲され、第１立壁部４１に対して略平行に対向している。第３立壁部４３と第４立壁部４４との間には開口４７が形成されている。
【００２６】
さらに、支柱２７は、第５、第６立壁部４５，４６を有している。第５立壁部４５は、第３立壁部４３に対して略９０度の角度で屈曲され、第１立壁部４１と略平行に配置されている。第６立壁部４６は、第４立壁部４４に対して略９０度の角度で屈曲され、第２立壁部４２と略平行に配置されている。この第５，第６立壁部４５，４６は、底フレーム２６や側面パネル２５，２９等を支柱２７に取り付ける際の取付部となる。
【００２７】
第１立壁部４１の上端には、第１当接部５１が延設されている。この第１当接部５１は、第１立壁部４１に対して略９０度の角度で折り曲げられ、略水平に配置されている。また、第２立壁部４２の上端には、第２当接部５２が延設されている。この第２当接部５２は、第２立壁部４２に対して略９０度の角度で折り曲げられ、略水平に配置されている。そして、天板２４は、第１，第２当接部５１，５２の上面に載置されることによって支柱２７に支持されている。すなわち、天板２４は、第１，第２当接部５１，５２によって各立壁部４１〜４６の上端に直接的に接触せず、当該上端から浮いた状態で支持されている。
【００２８】
第１立壁部４１と第１当接部５１との境界部５５、及び第２立壁部４２と第２当接部５２との境界部５６は、アール状に湾曲している。この構造により、第１当接部５１及び第２当接部５２は上下方向に弾性変形し易くなっている。また、これらの境界部５５，５６がアール状に形成されていることによって角が立たず、当該境界部５５，５６が直接的に天板２４に当接しないようになっている。
第１当接部５１と第２当接部５２との間には、切り込み５９が形成されている。また、境界部５５，５６は、互いに連なった形状に形成されている。
【００２９】
上記の室外機２は、例えば倉庫等に保管される際に上下方向に段積みされることがある。このとき、下側に配置される室外機２の天板２４には下向きの荷重が付与され、その反力として天板２４は支柱２７から上向きの荷重を受ける。室外機２の天板２４は、略水平な第１，第２当接部５１，５２上に載置され、第１，第２当接部５１，５２に面接触することによって支柱２７との接触面積が大きくされている。そのため、支柱２７から上向きの荷重（反力）を受けたとしても、天板２４に付与される圧力を小さくすることができ、天板２４に生じる応力集中を抑制することができる。
【００３０】
また、支柱２７の立壁部４１〜４６の間には屈曲部６１〜６５が形成され、特に、これらの屈曲部６１〜６５が接触する部分で天板２４に応力が集中しやすくなるが、本実施の形態では、天板２４は、支柱２７の各立壁部４１〜４６の上端から浮かされた状態となっているので、屈曲部６１〜６５にも接触せず、そのため応力集中を効果的に抑制することができる。
【００３１】
また、第１，第２立壁部４１，４２と第１，第２当接部５１，５２との境界部５５，５６は、アール形状に湾曲して形成され、第１，第２当接部５１，５２が上下方向に弾性変形しやすくなっているので、室外機２を段積みする際等に天板２４に大きな衝撃が付与された場合であっても、第１，第２当接部５１，５２の弾性変形によって衝撃を緩和し、天板２４の変形や損傷を防止することができる。ここに、第１，第２立壁部４１，４２と第１，第２当接部５１，５２との境界部５５，５６は、天板２４に付与される衝撃を緩和する緩衝部として機能している。また、第１，第２当接部５１，５２の間に切り込み５９が形成されていることによって、第１，第２当接部５１，５２が上下方向により弾性変形しやすくなり、天板２４に付与される衝撃を緩和する機能が高められている。
【００３２】
また、第１，第２当接部５１，５２は、比較的強度の高い天板２４のコーナー部２４ｃに合わせて配置された第１，第２立壁部４１，４２から延設されているので、第１，第２当接部５１，５２が面接触する部分における天板２４の変形等を好適に防止することができる。
なお、複数の室外機２を段積みする場合、両者の間には、通常、衝撃を緩和するための緩衝部材が挿入されるが、上述のように支柱２７には緩衝部として機能する境界部５５，５６が設けられるので、緩衝部材の薄肉化や構造の簡素化を図ることができる。
【００３３】
図６は、本発明の第２の実施の形態における支柱の平面図である。本実施の形態では、支柱２７における第１，第２立壁部４１，４２だけでなく、第３，第４立壁部４３，４４にも当接部（第３，第４当接部）５３，５４が設けられている。したがって、第１の実施の形態よりも支柱２７と天板２４との接触面積が増大し、より応力集中を低減することができる。また、第３，第４立壁部４３，４４と第３，第４当接部５３，５４との境界部５７，５８はアール状に湾曲している。したがって、天板２４が受ける衝撃を緩和する効果がより向上されている。
【００３４】
図７は、本発明の第３の実施の形態における天板を示す斜視図である。
この例における天板２４の通風口２４ａの周縁には、天板２４の表面よりも若干低い底部２４ｄが形成され、この底部２４ｄによって凹所２４ｅが形成されている。この底部２４ｄの四隅にはナット２４ｆが固着され、このナット２４ｆ及び図示しないボルトを用いて、グリル２４ｂ（図１参照）が凹所２４ｅ内に配置されている。
【００３５】
天板２４の４つのコーナー部２４ｃには、平坦な載置部７０が形成されている。また、天板２４の各辺について、天板２４のコーナー部２４ｃを除く中間部分、換言すれば、各辺の両端の載置部７０間は、退避部である傾斜面７１とされている。この「退避部」は、その表面が天板２４のコーナー部２４ｃの縁２４ｇよりも装置内部側にセットバックした部分であり、このセットバックにより形成されたスペースは、近接して配置した他の室外機と干渉し合うことはない。
【００３６】
傾斜面７１には、所定の間隔でビスの挿通孔７２が穿設されており、天板２４は、挿通孔７２を利用したビス（図示省略）で上側面パネル２５の上端縁に取り付けられる。なお、上側面パネル２５の上端縁は、天板２４の傾斜面７１の傾斜に対応して、内方に折り曲げ加工されている。ビスの頭部は、傾斜面７１のセットバックされたスペースに位置するので、複数の室外機を近接させて輸送、保管する場合でも、当該ビスの頭部が隣接する室外機のケーシングと干渉し合うことがない。また、複数の室外機の間に緩衝部材を挿入する場合であっても、この緩衝部材にビスの頭部を吸収する部位を形成する必要がないので、緩衝部材を簡素化して単純な形状とすることができる。
【００３７】
天板２４の各コーナー部２４ｃに形成された載置部７０と、傾斜面７１の端部７１ａとは、略三角形状の垂直面７３からなる立ち上がり部により接続されている。平坦な載置部７０は、垂直方向の荷重を受けることができ、また、垂直面７３はリブとして機能するため、天板２４の耐荷重を大きくすることができる。このため、複数の室外機２を段積みして保管する場合に、両者の間には厚肉の緩衝部材を挿入する必要が無く、緩衝部材を簡素化して単純な形状とすることができる。その結果、緩衝部材のコストダウンを図ることができ、室外機２の保管コストを低減させることができる。
【００３８】
図８は、本発明の第４の実施の形態における天板を示す斜視図である。
この実施の形態の天板２４には、各コーナー部２４ｃの間の退避部が、第３の実施の形態のような傾斜面７１ではなく、略９０度に屈曲する段部１７１に形成されている。したがって、第３の実施の形態と同様に、挿通孔７２に挿入したビスの頭部による干渉を防止することができる。本実施の形態では、退避部１７１の端部と載置部７０とを接続する立ち上がり部として、略四角形状の垂直面１７３が採用されている。
【００３９】
また、上述の第３及び第４の実施の形態では、立ち上がり部が載置部７０に対して実質的に垂直な垂直面７３，１７３により構成されていたが（図９（ａ）参照）、これ以外に、図９（ｂ）に示される傾斜面７５や、図９（ｃ）に示される曲面７６を立ち上がり部とすることができる。これらの傾斜面７５及び曲面７６はリブとして機能し、載置部７０の耐荷重を大きくするのに寄与する。
【００４０】
本発明は、上記各実施の形態に限定されるものではなく、特許請求の範囲に記載された発明の範囲内において、適宜変更することが可能である。
例えば、支柱２７の形状は、上記実施の形態に限定されるものでなく、適宜変更することができる。例えば、支柱２７は、第５，第６立壁部４５，４６を省略した形状とすることができる。また、支柱２７は、第５，第６立壁部４５，４６を省略するとともに、第３立壁部４３と第４立壁部４４とを接続することによって、開口４７を備えない四角筒形状とすることもできる。また、支柱２７は、第１，第２立壁部４１，４２のみからなる形状（平面視略Ｌ字形状）とすることもできる。
いずれの場合においても、当接部は、少なくとも一つの立壁部から延設することができる。ただし、天板２４との接触面積を十分に確保するために、２以上の立壁部から当接部を延設することがより好ましい。
【００４１】
また、上記各実施の形態において、当接部５１〜５４は、立壁部４１〜４４の内側に向けて屈曲していたが、外側に向けて屈曲していてもよい。
本発明は、上吹き出しタイプの室外機２に限らず、支柱２７と天板２４とを有するケーシング５を備えたあらゆる室外機に適用することができる。
【符号の説明】
【００４２】
２  室外機
５  ケーシング
２４  天板
２４ｃ  コーナー部
２７  支柱
４１  第１立壁部
４２  第２立壁部
４３  第３立壁部
４４  第４立壁部
４５  第５立壁部
４６  第６立壁部
５１  第１当接部
５２  第２当接部
５３  第３当接部
５４  第４当接部
５５〜５８  境界部（緩衝部）
７０  載置部
７１  傾斜面（退避部）
７３  垂直面（立ち上がり部）
７５  傾斜面（立ち上がり部）
７６  曲面（立ち上がり部）
１７１  段部（退避部）
１７３  垂直面（立ち上がり部）
【図１】
0005310829.tif 000002
【図２】
0005310829.tif 000003
【図３】
0005310829.tif 000004
【図４】
0005310829.tif 000005
【図５】
0005310829.tif 000006
【図６】
0005310829.tif 000007
【図７】
0005310829.tif 000008
【図８】
0005310829.tif 000009
【図９】
0005310829.tif 000010